(57)【要約】【課題】  ＤＰＯＦスタンダード印刷において、撮像装置が印刷する順序を指定して画像ファイルを印刷することを可能にすることを目的とする。【解決手段】  ＤＰＯＦスタンダード印刷において撮像装置がＡｕｔｏｐｒｉｎｔ．ＭＲＫファイルのＰＲＴ＿ＰＩＤに印刷する順序を設定し、記録装置がその設定に従い印刷することにより、ユーザーが印刷したい順序に画像ファイルを印刷可能にした。【選択図】  図１
2006190084.tif 000002
【特許請求の範囲】
【請求項１】
撮像装置と画像出力装置間のＤＰＯＦスタンダード印刷において、撮像装置がＤＰＯＦスタンダード印刷を行うファイルを指定する手段を有し、画像出力装置がその指定されたファイルを認識しＤＰＯＦスタンダード印刷を行うことを特徴とする印刷システム。
【請求項２】
前記請求項１のシステムにおいて、撮像装置がファイルを指定する手段がＤＰＯＦのＡｕｔｏｐｒｉｎｔ．ＭＲＫファイルを使用することを特徴とする印刷システム。
【請求項３】
上記請求項２のシステムにおいて、撮像装置がファイルの印刷順序をＡｕｔｏｐｒｉｎｔ．ＭＲＫファイルを用いて指定し、画像出力装置がその順番により画像を印刷することを特徴とする印刷システム。
【請求項４】
上記請求項３のシステムにおいて、撮像装置がファイル印刷の順序をＡｕｔｏｐｒｉｎｔ．ＭＲＫファイルのＰＲＴ＿ＰＩＤにより指定することを特徴とする印刷システム。
【発明の詳細な説明】
【技術分野】
【０００１】
本発明は、画像出力装置に関し、更に詳しくは、画像データと画像付帯情報とが記録されている記録媒体を用いて、ＤＰＯＦスタンダード画像を出力する画像出力装置に関するものである。
【背景技術】
【０００２】
電子スチルカメラは、撮影レンズ後方に配置したＣＣＤイメージセンサ等の撮像素子の光電面に結像する光学的な被写体画像を、デジタル信号に変換して記録媒体（以下、メモリという）に画像データとして記録する。また、これと同時に各画像データに対応する撮影日時、撮影者、撮影条件等の情報も画像付帯情報としてメモリに記録する。
【０００３】
近年メモリの大容量化が進み、記録される画像数も増加している。このような大容量のメモリに記録されている多数の画像の中から、ユーザーが所望の画像を出力（表示またはプリント）する際には、まず記録されている画像を縮小表示したサムネイル画像を整列させたインデックス画像を画像出力装置で出力する。そして、このインデックス画像をユーザーが目視で検索して所望の画像を確認、選択する方法が一般に行われている。
【０００４】
又、別の従来例としては、例えば特許文献１と特許文献２をあげることが出来る。
【特許文献１】特開２００４−３４５０７号公報
【特許文献２】特開２００２−１８５８９０号公報
【発明の開示】
【発明が解決しようとする課題】
【０００５】
しかしながら、従来のシステムのＤＰＯＦ  Ｓｔａｎｄａｒｄ印刷において、撮像装置からユーザーが印刷したい画像ファイルを指定すると、撮像装置がファイル名順に印刷するように自動的に設定し、画像出力装置に出力してしまっていたため、ユーザーが画像を印刷したい順番に印刷することができなかった。
【課題を解決するための手段】
【０００６】
ＤＰＯＦ  Ｓｔａｎｄａｒｄ印刷において、ユーザーが撮像装置のマークファイルのＰＲＴ＿ＰＩＤに印刷する順番を設定し、画像出力装置がその設定した順番に印刷することにより、ユーザーが画像を印刷したい順に印刷することを可能にした。
【発明の効果】
【０００７】
このようにＤＰＯＦスタンダード印刷において、ユーザーが撮像装置のＡｕｔｏｐｒｉｎｔ．ＭＲＫファイルのＰＲＴ＿ＰＩＤに印刷する順序を設定し、画像出力装置がその設定に従い印刷することにより、ユーザーが印刷したい順序に画像ファイルを印刷可能になる。
【発明を実施するための最良の形態】
【０００８】
まず、図１を用い、本実施例に係る撮像装置について説明する。
【０００９】
図１において、２９０１２は撮像素子２９０１４への露光量を制御するためのメカシャッター、２９０１４は光学像を電気信号に変換する撮像素子である。
【００１０】
レンズ２９３１０に入射した光線は、一眼レフ方式によって、絞り２９３１２、レンズマウント２９３０６及び２９１０６、ミラー２９１３０、メカシャッター２９０１２を介して導き、光学像として撮像素子２９０１４上に結像することが出来る。
【００１１】
２９０１６は撮像素子２９０１４のアナログ信号出力をディジタル信号に変換するＡ／Ｄ変換器である。
【００１２】
２９０１８は撮像素子２９０１４へ電子シャッター制御信号やクロック信号、Ａ／Ｄ変換器２９０１６に制御信号やクロック信号を供給するタイミング発生部であり、メモリ制御部２９０２２及びデジタル部システム制御部２９０５１により制御される。
【００１３】
２９０５１はデジタルカメラ１０２のデジタル部を制御するデジタル部システム制御部であり、カメラ部システム制御部２９０５０と相互に通信可能である。
【００１４】
このデジタル部システム制御部２９０５１は、画像表示部のデータ表示を制御し、カメラ部システム制御部２９０５０から測光タイマ中か否かを通知を受けてその状態をＲＡＭ２９０３０に記憶し、また画像処理部２９０２０から画像処理中か否かを通知を受けてその状態をＲＡＭ２９０３０に記憶し、さらに画像表示部がデータ表示中か否かをＲＡＭ２９０３０に記憶する。
【００１５】
デジタル部システム制御部２９０５１は、ＰＣからのデータ転送要求を受信した場合には、この記憶した内容から、画像表示部２９０２８がデータ表示中、または測光タイマ起動中、または撮像画像データ処理中か否かを判断し、いずれかが真であった場合には、このデジタル部システム制御部２９０５１が、直接、通信部２９０６０４とＲＡＭ２９０３０の間で通信部２９０６０４のデータをリードし、そのデータをＲＡＭ２９０３０上にライトしたり、ＲＡＭ２９０３０のデータをリードし、リードしたデータを通信部２９０６０４にライトしたりする（低速転送モード）。
【００１６】
２９０２０は画像処理部であり、Ａ／Ｄ変換器２９０１６からのデータ或いはメモリ制御部２９０２２からのデータに対して所定の画素補間処理や色変換処理を行い、また画像処理中かどうかをデジタル部システム制御部に通知する。
【００１７】
また、画像処理部２９０２０においては、必要に応じて、撮像した画像データを用いて所定の演算処理を行い、得られた演算結果に基づいてシステム制御部２９０５０が露光制御手段２９０４０、測距制御手段２９０４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。
【００１８】
さらに、画像処理部２９０２０においては、撮像した画像データを用いて所定の演算処理を行い、得られた演算結果に基づいてＴＴＬ方式のＡＷＢ（オートホワイトバランス）処理も行っている。
【００１９】
なお、本実施例においては、測距手段２９０４２及び測光手段２９０４６を専用に備える構成としたため、測距手段２９０４２及び測光手段２９０４６を用いてＡＦ（オートフォーカス）処理、ＡＥ（自動露出）処理、ＥＦ（フラッシュ調光）処理の各処理を行い、上記画像処理部２９０２０を用いたＡＦ（オートフォーカス）処理、ＡＥ（自動露出）処理、ＥＦ（フラッシュ調光）処理の各処理を行わない構成としても良い。
【００２０】
或いは、測距手段２９０４２及び測光手段２９０４６を用いてＡＦ（オートフォーカス）処理、ＡＥ（自動露出）処理、ＥＦ（フラッシュ調光）処理の各処理を行い、さらに、上記画像処理部２９０２０を用いたＡＦ（オートフォーカス）処理、ＡＥ（自動露出）処理、ＥＦ（フラッシュ調光）処理の各処理を行う構成としても良い。
【００２１】
２９０２２はメモリ制御部であり、Ａ／Ｄ変換器１６、タイミング発生部２９０１８、画像処理部２９０２０、ＲＡＭ２９０３０、圧縮・伸長部２９０３２を制御する。
【００２２】
Ａ／Ｄ変換器２９０１６のデータが画像処理部２９０２０、メモリ制御部２９０２２を介して、或いはＡ／Ｄ変換器２９０１６のデータが直接メモリ制御部２９０２２を介して、ＲＡＭ２９０３０に書き込まれる。
【００２３】
２９０２８はＴＦＴ  ＬＣＤ等から成る画像表示部（Ｖｉｄｅｏコントローラを含む）であり、メニュー、撮影画像データ等を表示する。
【００２４】
画像表示部２９０２８を用いて撮像した画像データを逐次表示すれば、電子ファインダー機能を実現することが可能である。
【００２５】
また、画像表示部２９０２８は、デジタル部システム制御部２９０５１の指示により任意に表示をＯＮ／ＯＦＦすることが可能であり、表示をＯＦＦにした場合にはデジタルカメラ１０１の電力消費を大幅に低減することが出来る。
【００２６】
２９０３０は撮影した静止画像や動画像を格納するためのＲＡＭであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みを記憶部に対して行うことが可能となる。
【００２７】
また、撮影された画像画像データあるいは記録部から呼び出された画像データはデジタル部システム制御部２９０５１の制御下で当該メモリに格納される。このＲＡＭ２９０３０の一部は本実施形態におけるキャッシュ領域として使用される。
【００２８】
さらに、ＲＡＭ２９０３０はシステム制御部２９０５０の作業領域としても使用することが可能である。
【００２９】
２９０３２は適応離散コサイン変換（ＡＤＣＴ）等により画像データを圧縮伸長する圧縮・伸長部であり、ＲＡＭ２９０３０に格納された画像を読み込んで圧縮処理或いは伸長処理を行い、処理を終えたデータをＲＡＭ２９０３０に書き込む。
【００３０】
２９０４０は測光手段２９０４６からの測光情報に基づいて、絞り２９３１２を制御する絞り制御手段２９３４０と連携しながら、メカシャッター２９０１２を制御するメカシャッター制御手段である。
【００３１】
２９０４２はＡＦ（オートフォーカス）処理を行うための測距手段であり、レンズ２９３１０に入射した光線を、一眼レフ方式によって、絞り２９３１２、レンズマウント２９３０６及び２９１０６、ミラー２９１３０そして不図示の測距用サブミラーを介して、測距手段２９０４２に入射させることにより、光学像として結像された画像の合焦状態を測定することが出来る。
【００３２】
２９０４６はＡＥ（自動露出）処理を行うための測光手段であり、レンズ２９３１０に入射した光線を、一眼レフ方式によって、絞り２９３１２、レンズマウント２９３０６及び２９１０６、ミラー２９１３０及び２９１３２そして不図示の測光用レンズを介して、測光手段２９０４６に入射させることにより、光学像として結像された画像の露出状態を測定することが出来る。
【００３３】
また、測光手段２９０４６は、フラッシュ２９０４８と連携することによりＥＦ（フラッシュ調光）処理機能も有するものである。
【００３４】
２９０４８はフラッシュであり、ＡＦ補助光の投光機能、フラッシュ調光機能も有する。
【００３５】
なお、撮像素子２９０１４によって撮像した画像データを画像処理部２９０２０によって演算した演算結果に基づき、システム制御部２９０５０がメカシャッター制御手段２９０４０、絞り制御手段２９３４０、測距制御手段２９３４２に対して制御を行う、ビデオＴＴＬ方式を用いて露出制御及びＡＦ（オートフォーカス）制御をすることも可能である。
【００３６】
さらに、測距手段２９０４２による測定結果と、撮像素子２９０１４によって撮像した画像データを画像処理部２９０２０によって演算した演算結果とを共に用いてＡＦ（オートフォーカス）制御を行っても構わない。
【００３７】
そして、測光手段２９０４６による測定結果と、撮像素子２９０１４によって撮像した画像データを画像処理部２９０２０によって演算した演算結果とを共に用いて露出制御を行っても構わない。
【００３８】
２９０５０はデジタルカメラ１０１のカメラ部を制御し、また測光タイマ動作中かどうかをデジタル部システム制御部に通知するカメラ部システム制御部である。
【００３９】
２９０５２はカメラ部システム制御部２９０５０の動作用の定数、変数、プログラム等を記憶するメモリである。
【００４０】
２９０５４はカメラ部システム制御部２９０５０でのプログラムの実行に応じて、文字、画像、音声等を用いて動作状態やメッセージ等を表示する液晶表示装置、スピーカー等の表示部であり、デジタルカメラ１０１の操作部近辺の視認し易い位置に単数或いは複数個所設置され、例えばＬＣＤやＬＥＤ、発音素子等の組み合わせにより構成されている。
【００４１】
また、表示部２９０５４は、その一部の機能が光学ファインダー２９０１０４内に設置されている。
【００４２】
表示部２９０５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２９２００及び２９２１０の着脱状態表示、レンズユニット２９３００の着脱状態表示、通信Ｉ／Ｆ動作表示、日付け・時刻表示、外部コンピュータとの接続状態を示す表示、等がある。
【００４３】
また、表示部２９０５４の表示内容のうち、光学ファインダー２９１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００４４】
さらに、表示部２９０５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００４５】
そして、表示部２９０５４の表示内容のうち、ランプ等に表示するものとしては、例えば、セルフタイマー通知ランプ、等がある。このセルフタイマー通知ランプは、ＡＦ補助光と共用して用いても良い。
【００４６】
２９０５６は電気的に消去・記録可能な不揮発性メモリであり、例えばＥＥＰＲＯＭ等が用いられる。
【００４７】
２９０６０、２９０６２、２９０６４、２９０６６、２９０６８及び２９０７０は、システム制御部２９０５０の各種の動作指示を入力するための操作手段であり、スイッチやダイアル、タッチパネル、視線検知によるポインティング、音声認識装置等の単数或いは複数の組み合わせで構成される。
【００４８】
２９０６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することが出来る。
【００４９】
２９０６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【００５０】
２９０６４はシャッタースイッチＳＷ２で、不図示のシャッターボタンの操作完了でＯＮとなり、撮像素子２９０１２から読み出した信号をＡ／Ｄ変換器２９０１６、メモリ制御部２９０２２を介してＲＡＭ２９０３０に画像データを書き込む露光処理、画像処理部２９０２０やメモリ制御部２９０２２での演算を用いた現像処理、ＲＡＭ２９０３０から画像データを読み出し、圧縮・伸長部２９０３２で圧縮を行い、記録媒体２９２００或いは２９２１０に画像データを書き込む記録処理という一連の処理の動作開始を指示する。
【００５１】
２９０６６は再生スイッチで、撮影モード状態において、撮影した画像をＲＡＭ２９０３０或いは記録媒体２９２００或いは２９２１０から読み出して画像表示部２９０２８によって表示する再生動作の開始を指示する。
【００５２】
２９０６８は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとを設定することが出来る。本特許はこのスイッチが連写モード時の画像転送処理に関するものである。
【００５３】
２９０７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２９０２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することが出来るＡＦモード設定スイッチ等がある。
【００５４】
また、上記プラスボタン及びマイナスボタンの各機能は、回転ダイアルスイッチを備えることによって、より軽快に数値や機能を選択することが可能となる。
【００５５】
２９０７２は電源スイッチで、デジタルカメラ１０１の電源オン、電源オフの各モードを切り替え設定することが出来る。また、デジタルカメラ１０１に接続されたレンズユニット２９３００、外部ストロボ、記録媒体２９２００、２９２１０等の各種付属装置の電源オン、電源オフの設定も合わせて切り替え設定することが出来る。
【００５６】
２９０８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びカメラ部システム制御部２９０５０の指示に基づいてＤＣ−ＤＣコンバータを制御し、必要な電圧を必要な期間、記録媒体を含む各部へ供給する。
【００５７】
２９０８２はコネクタ、２９０８４はコネクタ、２９０８６はアルカリ電池やリチウム電池等の一次電池やＮｉＣｄ電池やＮｉＭＨ電池、Ｌｉ電池等の二次電池、ＡＣアダプター等からなる電源手段である。
【００５８】
２９０９０及び２９０９４はメモリカードやハードディスク等の記録媒体とのインタフェース、２９０９２及び２９０９６はメモリカードやハードディスク等の記録媒体と接続を行うコネクタ、２９０９８はコネクタ２９０９２及び或いは２９０９６に記録媒体２９２００或いは２９２１０が装着されているか否かを検知する記録媒体着脱検知手段である。
【００５９】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００６０】
インターフェース及びコネクタとしては、規格に準拠したものを用いて構成して構わない。
【００６１】
インタフェース２９０９０及び２９０９４、そしてコネクタ２９０９２及び２９０９６を規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６２】
２９１０４は光学ファインダであり、レンズ２９３１０に入射した光線を、一眼レフ方式によって、絞り２９３１２、レンズマウント２９３０６及び２９１０６、ミラー２９１３０及び２９１３２を介して導き、光学像として結像表示することが出来る。これにより、画像表示部２９０２８による電子ファインダー機能を使用すること無しに、光学ファインダ２９１０４のみを用いて撮影を行うことが可能である。また、光学ファインダー２９１０４内には、表示部２９０５４の一部の機能、例えば、合焦表示、手振れ警告表示、フラッシュ充電表示、シャッタースピード表示、絞り値表示、露出補正表示などが設置されている。
【００６３】
２９１１０はデジタルカメラ１０１をＰＣ１０２と接続するための通信部である。実際には通信部はＩＥＥＥ１３９４からなる。カメラはＲＡＭ２９０３０やＲＯＭおよび記録部に格納された情報を、通信部２９１１０を介してＰＣ１０２に送信、あるいは逆に各種情報を受信するために用いられる。特に撮影データや画像データの送受信を行うために用いられる。
【００６４】
またこの通信部はＲＳ２３２ＣやＵＳＢ、ＵＳＢ２、Ｐ１２８４、ＳＣＳＩ、モデム、ＬＡＮ、無線通信等の各種通信手段により構成してもよい。
【００６５】
２９１１２は通信手段２９１１０によりデジタルカメラ１０１を他の機器と接続するコネクタ或いは無線通信の場合はアンテナである。
【００６６】
２９１２０は、レンズマウント２９１０６内において、デジタルカメラ１０１をレンズユニット２９３００と接続するためのインタフェース、２９１２２はデジタルカメラ１０１をレンズユニット２９３００と電気的に接続するコネクタ、２９１２４はレンズマウント２９１０６及び或いはコネクタ２９１２２にレンズユニット２９３００が装着されているか否かを検知するレンズ着脱検知手段である。
【００６７】
コネクタ２９１２２は、デジタルカメラ１０１とレンズユニット２９３００との間で制御信号、状態信号、データ信号等を伝え合うと共に、各種電圧の電流を供給する機能も備えている。また、コネクタ２９１２２は電気通信のみならず、光通信、音声通信等を伝達する構成としても良い。
【００６８】
２９１３０、２９１３２はミラーで、レンズ２９３１０に入射した光線を、一眼レフ方式によって光学ファインダ２９１０４に導くことが出来る。なお、ミラー２９１３２は、クイックリターンミラーの構成としても、ハーフミラーの構成としても、どちらでも構わない。
【００６９】
２９２００はメモリカードやハードディスク等の記録媒体である。
【００７０】
記録媒体２９２００は、半導体メモリや磁気ディスク等から構成される記録部２９２０２、デジタルカメラ１０１とのインタフェース２９２０４、デジタルカメラ１０１と接続を行うコネクタ２９２０６を備えている。
【００７１】
２９２１０はメモリカードやハードディスク等の記録媒体である。
【００７２】
記録媒体２９２１０は、半導体メモリや磁気ディスク等から構成される記録部２９２１２、画像処理装置２９１００とのインタフェース２９２１４、デジタルカメラ２９１００と接続を行うコネクタ２９２１６を備えている。
【００７３】
２９３００は交換レンズタイプのレンズユニットである。
【００７４】
２９３０６は、レンズユニット２９３００をデジタルカメラ２９１００と機械的に結合するレンズマウントである。レンズマウント２９３０６内には、レンズユニット２９３００をデジタルカメラ１０１と電気的に接続する各種機能が含まれている。
【００７５】
２９３１０は撮影レンズ、２９３１２は絞りである。
【００７６】
２９３２０は、レンズマウント２９３０６内において、レンズユニット２９３００をデジタルカメラ１０１と接続するためのインタフェース、２９３２２はレンズユニット２９３００をデジタルカメラ１０１と電気的に接続するコネクタである。
【００７７】
コネクタ２９３２２は、デジタルカメラ１０１とレンズユニット２９３００との間で制御信号、状態信号、データ信号等を伝え合うと共に、各種電圧の電流を供給される或いは供給する機能も備えている。また、コネクタ２９３２２は電気通信のみならず、光通信、音声通信等を伝達する構成としても良い。
【００７８】
２９３４０は測光手段２９０４６からの測光情報に基づいて、シャッター２９０１２を制御するシャッター制御手段４０と連携しながら、絞り２９３１２を制御する絞り制御手段である。
【００７９】
２９３４２は撮影レンズ２９３１０のフォーカシングを制御する測距制御手段、２９３４４は撮影レンズ２９３１０のズーミングを制御するズーム制御手段である。
【００８０】
２９３５０はレンズユニット２９３００全体を制御するレンズシステム制御部である。レンズシステム制御部２９３５０は、動作用の定数、変数、プログラム等を記憶するメモリやレンズユニット２９３００固有の番号等の識別情報、管理情報、開放絞り値や最小絞り値、焦点距離等の機能情報、現在や過去の各設定値などを保持する不揮発メモリの機能も備えている。
【００８１】
２９６００はＲＯＭであり、電気的に消去・記録可能な不揮発性メモリでありカメラの電源がＯＦＦ状態にあっても、その記憶内容が保持される。特にカメラ動作を制御するプログラムを格納したり、撮影モードや撮影情報および諸々のパラメータを記憶するために用いられる。
【００８２】
２９６０１は、画像表示部２９０２８がデータ表示時、ＲＡＭ２９０３０上に用意された表示用データを画像表示部２９０２８にＤＭＡ転送を行うＤＭＡコントローラ１である。このＤＭＡ転送により転送されたデータが画像表示部に表示される。
【００８３】
２９６０２は、画像表示部２９０２８がデータ非表示中であり、ＰＣ１０２からのデータ転送要求を受信した場合には、デジタル部システム制御部２９０５１はこのＤＭＡコントローラ２  ２９６０２の設定を行い、ＲＡＭ２９０３０と通信部２９１１０との間でＤＭＡ転送を行う（高速転送モード）ＤＭＡコントローラ２である。
【００８４】
次に本実施の形態に係るダイレクトプリンタ装置１０００の制御に係る主要部の構成を図５を用いて説明する。
【００８５】
図５において、１０００は制御部（制御基板）を示している。１００１はＡＳＩＣ（専用カスタムＬＳＩ）を示し、１００２はＤＳＰ（デジタル信号処理プロセッサ）で、内部にＣＰＵを有し、後述する各種制御処理及び、輝度信号（ＲＧＢ）から濃度信号（ＣＭＹＫ）への変換、スケーリング、ガンマ変換、誤差拡散等の画像処理等を担当している。１００３はメモリで、ＤＳＰ３００２のＣＰＵの制御プログラムを記憶するプログラムメモリ１００３ａ、及び実行時のプログラムを記憶するＲＡＭエリア、画像データなどを記憶するワークメモリとして機能するメモリエリアを有している。１００４はプリンタエンジンで、ここでは、複数色のカラーインクを用いてカラー画像を印刷するインクジェットプリンタのプリンタエンジンが搭載されている。１００５はデジタルカメラ３０１２を接続するためのポートとしてのＵＳＢバスコネクタである。１００６はビューワ３０１１を接続するためのコネクタである。１００８はＵＳＢバスハブ（ＵＳＢ  ＨＵＢ）で、このＰＤプリンタ装置１０００がＰＣ３０１０からの画像データに基づいて印刷を行う際には、ＰＣ３０１０からのデータをそのままスルーし、ＵＳＢバス１０２１を介してプリンタエンジン１００４に出力する。これにより、接続されているＰＣ３０１０は、プリンタエンジン１００４と直接、データや信号のやり取りを行って印刷を実行することができる（一般的なＰＣプリンタとして機能する）。１００９は電源コネクタで、電源１０１１により、商用ＡＣから変換された直流電圧を入力している。ＰＣ３０１０は一般的なパーソナルコンピュータ、３０１１は前述したメモリカード（ＰＣカード）、３０１２はデジタルカメラである。
【００８６】
尚、この制御部１０００とプリンタエンジン１００４との間の信号のやり取りは、前述したＵＳＢバス１０２１又はＩＥＥＥ１２８４バス１０２２を介して行われる。
【００８７】
次にＤＰＯＦ  Ｓｔａｎｄａｒｄ印刷の印刷指定方法について図２を用い説明する。まず図４のＧＵＩのプリント指定の画面から画像指定を選択する。するとＤＰＯＦ印刷可能な画像ファイルが表示される。ここで印刷することを指定すると、Ａｕｔｏｐｒｉｎｔ．ＭＲＫファイルの５０１と５０２が作成される。次にまた次の画像を指定すると５０３が追加され、また新たな画像を指定すると５０４の設定が追加される。これでＰＲＴ＿ＩＤ番号が順番に設定され、印刷開始ボタンがＧＵＩから押されたらＰＲＴ＿ＩＤ順に印刷が実行される。
【００８８】
図２についてさらに詳しく説明する。本発明に係る画像処理装置におけるマークファイルの一例について説明する図であり、マークファイルが印刷指定ファイルの場合に対応する。図２において、印刷指定ファイル５００はヘッダセクション５０１及びジョブセクション５０２，５０３，５０４により構成される。まず、ヘッダセクション５０１を示すタグ５２０を記述する。次にファームのバージョン５１１、続いてファイル記述を行う機器名５１２を記し、ヘッダセクション記述を完了する。ヘッダセクション５０１を記述した後、印刷指定記述（ジョブセクション）を行う。プリントタイプ指定がスタンダード印刷の場合ジョブセクション５０２に示すような記述となる。まず、ジョブセクションを示すタグ５２１を記述し、続いて印刷順を示す番号５１３を記述する。ここに印刷する順番をＧＵＩより指定する。続いてプリントタイプ５１４を記述する。次に印刷枚数５１５として記述する。次に、印刷対象となる画像フォーマットを示す記述５１６を行う。次に印刷するファイル名を記述する５１７。
【００８９】
以上のようにスタンダードプリントジョブ記述をジョブセクション５０２で行う。また、スタンダードジョブ記述は上記プリント指定工程において指定された画像数分行う。
【００９０】
次にＳｔａｎｄａｒｄ印刷がまだある場合には同様にしてジョブセクションを示すタグを記述し、続いて印刷順を示す番号５１８を記述する。ここに印刷する順番をＧＵＩより指定する。続いてプリントタイプを記述する。次に印刷枚数として記述する。次に、印刷対象となる画像フォーマットを示す記述を行う。次に印刷するファイル名を記述する。
【００９１】
さらにＳｔａｎｄａｒｄ印刷がまだある場合には、同様にしてジョブセクションを示すタグを記述し、続いて印刷順を示す番号５１９を記述する。これで印刷の順番を指定できたこととなる。
【００９２】
次に設定したＡＵＴＯＰＲＩＮＴ．ＭＲＫファイルを用いて印刷する方法を具体的に説明する。
【００９３】
図３のＡＵＴＯＰＲＩＮＴ．ＭＲＫファイルはジョブセクションが来るまでヘッダを読み飛ばす（Ｓ３０１）。ジョブセクションが来る（Ｓ３０２）と次のＰＲＴ＿ＰＩＤを解析し、その数字が１でなければ（Ｓ３０３）次のジョブセクションに行き、ＰＲＴ＿ＰＩＤを解析する。ＰＲＴ＿ＰＩＤが１になるまでＰＲＴ＿ＰＩＤを読み飛ばす。ＰＲＴ＿ＰＩＤが１であった場合、そのファイルが印刷対象であることを認識し、印刷枚数５１５、画像フォーマット、印刷ファイルを解析し、画像ファイルを画像出力装置に転送しそのファイルを印刷する（Ｓ３０４）。印刷が終了すると、次のジョブセクションを探し（Ｓ３０２）、存在した場合には、ＰＲＴ＿ＰＩＤ＝２を検索し、存在した場合（Ｓ３０３）には、その画像を印刷する（Ｓ３０４）。ジョブセクションがなくなるまでこの動作を繰り返す。
【００９４】
このようにＡｕｔｏｐｒｉｎｔ．ＭＲＫファイルのＰＲＴ＿ＩＤを印刷する順番に設定し、印刷することにより、ユーザーが指定した順番で画像ファイルを印刷可能になる。
【図面の簡単な説明】
【００９５】
【図１】本実施例に係る撮像装置について説明する図である。
【図２】ＤＰＯＦ  Ｓｔａｎｄａｒｄ印刷の印刷指定方法について説明する図である。
【図３】設定したＡＵＴＯＰＲＩＮＴ．ＭＲＫファイルを用いて印刷する方法を具体的に説明する図である。
【図４】プリント指定の画面から画像指定を選択することの説明図である。
【図５】本実施の形態に係るダイレクトプリンタ装置の制御に係る主要部の構成を示す図である。
【図１】
2006190084.tif 000003
【図２】
2006190084.tif 000004
【図３】
2006190084.tif 000005
【図４】
2006190084.tif 000006
【図５】
2006190084.tif 000007